【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】
通信機能処理に必要な複数の操作キーを備え、通信網に接続してデータ通信を行うための第１の通信機能と、所定の入力装置と所定の出力装置とデータ通信を行うための第２の通信機能とを備える端末装置であって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段とを備え、
前記選択手段は、前記入力装置と通信可能な場合は前記第１の入力処理を選択し、前記出力装置と通信可能な場合は前記第１の出力処理を選択し、前記入力装置と通信不可能で、かつ前記出力装置と通信不可能な場合、前記第１の接続処理を選択することを特徴とする端末装置。
【請求項２】
表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置であって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力して前記表示装置に表示する第２の入力手段と、
前記通信網に接続してデータ通信により前記通信網上からネット情報を取得して前記表示装置に表示する第３の入力手段と、
前記第２の入力手段により入力してあるいは第３の入力手段により取得して前記表示装置に表示されている前記所定のデータを前記出力装置に出力する第２の出力手段と、
前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段とを備え、
前記選択手段は、前記入力装置と通信可能な場合は前記第２の入力処理を選択し、前記出力装置と通信可能な場合は前記第２の出力処理を選択し、前記入力装置と通信不可能で、かつ前記出力装置と通信不可能な場合は前記第２の接続処理を選択することを特徴とする端末装置。
【請求項３】
通信網に接続してデータ通信を行うための第１の通信機能と、所定の入力装置と複数の操作キーを備える所定の出力装置とデータ通信を行うための第２の通信機能とを備える端末装置であって、
前記出力装置の複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段とを備え、
前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする端末装置。
【請求項４】
通信網に接続してデータ通信を行うための第１の通信機能と、所定の入力装置と複数の操作キーを備える所定の出力装置とデータ通信を行うための第２の通信機能とを備える端末装置であって、
前記出力装置の複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段とを備え、
前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする端末装置。
【請求項５】
前記複数の操作キー中の１つの操作キーは、キー入力を取り消す取消しキーであることを特徴とする請求項１または２記載の端末装置。
【請求項６】
前記キー入力を取り消す取消しキーが操作指示された場合に、前記選択手段により選択されて実行中のいずれかの処理を中止することを特徴とする請求項１または２記載の端末装置。
【請求項７】
前記複数の操作キー中の１つの操作キーは、通話制御を指示するキーが兼ねることを特徴とする請求項１または２記載の端末装置。
【請求項８】
前記複数の操作キー中の１つの操作キーは、前記出力装置を初期化するためのキーが兼ねることを特徴とする請求項３または４記載の端末装置。
【請求項９】
前記出力装置に対する出力設定を行う設定手段を備え、第１の出力手段は、前記設定手段により設定される出力設定に従い前記第１の出力処理を行うことを特徴とする請求項１記載の端末装置。
【請求項１０】
前記出力装置に対する出力設定を行う設定手段を備え、第２の出力手段は、前記設定手段により設定される出力設定に従い前記第２の出力処理を行うことを特徴とする請求項２記載の端末装置。
【請求項１１】
所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段とを備え、
前記選択手段は、前記入力装置と通信可能な場合は前記第１の入力手段による第１の入力処理を選択し、前記出力装置と通信可能な場合は前記第１の出力手段による第１の出力処理を選択し、前記入力装置と通信不可能で、かつ前記出力装置と通信不可能な場合、前記第１の接続処理を選択することを特徴とするデータ通信システム。
【請求項１２】
所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、
前記複数の操作キー中の１つの操作キーが操作された際、前記第２の通信機能を利用して入力装置と出力装置と通信が可能かどうかを識別する通信識別手段と、
前記入力装置から送信される所定のデータを入力して前記表示装置に表示する第２の入力手段と、
前記通信網に接続してデータ通信により前記通信網上からネット情報を取得して前記表示装置に表示する第３の入力手段と、
前記第２の入力手段により入力してあるいは第３の入力手段により取得して前記表示装置に表示されている前記所定のデータを前記出力装置に出力する第２の出力手段と、
前記通信識別手段による識別結果に従い、前記第２の入力手段による第２の入力処理、前記第２の出力手段による第２の出力処理、前記通信網に接続してデータ通信によりネット情報を取得する第２の接続処理のいずれかを選択する選択手段とを備え、
前記選択手段は、前記入力装置と通信可能な場合は前記第２の入力手段による第２の入力処理を選択し、前記出力装置と通信可能な場合は前記第２の出力手段による第２の出力処理を選択し、前記入力装置と通信不可能で、かつ前記出力装置と通信不可能な場合、前記第２の接続処理を選択することを特徴とするデータ通信システム。
【請求項１３】
通信網に接続してデータ通信を行うための第１の通信機能と、所定の入力装置と複数の操作キーを備える所定の出力装置とデータ通信を行うための第２の通信機能とを備える端末装置とからなるデータ通信システムであって、
前記出力装置の複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段とを備え、
前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とするデータ通信システム。
【請求項１４】
通信網に接続してデータ通信を行うための第１の通信機能と、所定の入力装置と複数の操作キーを備える所定の出力装置とデータ通信を行うための第２の通信機能とを備える端末装置とからなるデータ通信システムであって、
前記出力装置の複数の操作キー中の１つの操作キーが操作された際、前記第２の通信機能を利用して入力装置と出力装置と通信が可能かどうかを識別する通信識別手段と、
前記入力装置から送信される所定のデータを入力する第１の入力手段と、
前記第１の入力手段により入力した前記所定のデータを前記出力装置に出力する第１の出力手段と、
前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段とを備え、
前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は前記第２の出力処理を選択することを特徴とするデータ通信システム。
【請求項１５】
前記複数の操作キー中の１つの操作キーは、キー入力を取り消す取消しキーであることを特徴とする請求項１３または１４記載のデータ通信システム。
【請求項１６】
前記キー入力を取り消す取消しキーが操作指示された場合に、前記選択手段により選択されて実行中のいずれかの処理を中止することを特徴とする請求項１１または１２記載のデータ通信システム。
【請求項１７】
前記複数の操作キー中の１つの操作キーは、通話制御を指示するキーが兼ねることを特徴とする請求項１１または１２記載のデータ通信システム。
【請求項１８】
前記出力装置に対する出力設定を行う設定手段を備え、前記第１の出力手段は、前記設定手段により設定される出力設定に従い前記第１の出力処理を行うことを特徴とする請求項１１記載のデータ通信システム。
【請求項１９】
前記出力装置に対する出力設定を行う設定手段を備え、前記第２の出力手段は、前記設定手段により設定される出力設定に従い前記第２の出力処理を行うことを特徴とする請求項１２記載のデータ通信システム。
【請求項２０】
前記複数の操作キー中の１つの操作キーは、前記出力装置を初期化するためのキーが兼ねることを特徴とする請求項１３または１４記載のデータ通信システム。
【請求項２１】
通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、
前記複数の操作キー中の１つの操作キーが操作された際、前記第２の通信機能を利用して入力装置と出力装置と通信が可能かどうかを識別する通信識別ステップと、
前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記第１の入力ステップによる第１の入力処理、前記第１の出力ステップによる第１の出力処理、前記通信網に接続してデータ通信を行う第１の接続ステップのいずれかを選択する選択ステップとを備え、
前記選択ステップは、前記入力装置と通信可能な場合は前記第１の入力ステップによる第１の入力処理を選択し、前記出力装置と通信可能な場合は前記第１の出力ステップによる第１の出力処理を選択し、前記入力装置と通信不可能で、かつ前記出力装置と通信不可能な場合、前記第１の接続処理を選択することを特徴とするデータ通信制御方法。
【請求項２２】
表示装置と、通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、
前記複数の操作キー中の１つの操作キーが操作された際、前記第２の通信機能を利用して入力装置と出力装置と通信が可能かどうかを識別する通信識別ステップと、
前記入力装置から送信される所定のデータを入力して前記表示装置に表示する第２の入力ステップと、
前記通信網に接続してデータ通信により前記通信網上からネット情報を取得して前記表示装置に表示する第３の入力ステップと、
前記第２の入力ステップにより入力してあるいは第３の入力ステップにより取得して前記表示装置に表示されている前記所定のデータを前記出力装置に出力する第２の出力ステップと、
前記通信識別ステップによる識別結果に従い、前記第２の入力ステップによる第２の入力処理、前記第２の出力ステップによる第２の出力処理、前記通信網に接続してデータ通信によりネット情報を取得する第２の接続処理のいずれかを選択する選択ステップとを備え、
前記選択ステップは、前記入力装置と通信可能な場合は前記第２の入力ステップによる第２の入力処理を選択し、前記出力装置と通信可能な場合は前記第２の出力ステップによる第２の出力処理を選択し、前記入力装置と通信不可能で、かつ前記出力装置と通信不可能な場合、前記第２の接続処理を選択することを特徴とするデータ通信制御方法。
【請求項２３】
通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、
前記出力装置の複数の操作キー中の１つの操作キーが操作された際、前記第２の通信機能を利用して入力装置と出力装置と通信が可能かどうかを識別する通信識別ステップと、
前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記所定のデータを前記出力装置に対して出力する第１の入出力処理、前記通信網に接続して取得されるネット情報を前記出力装置に対して出力する第１の接続出力処理のいずれかを選択する選択ステップとを備え、
前記選択ステップは、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とするデータ通信制御方法。
【請求項２４】
通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、
前記出力装置の複数の操作キー中の１つの操作キーが操作された際、前記第２の通信機能を利用して入力装置と出力装置と通信が可能かどうかを識別する通信識別ステップと、
前記入力装置から送信される所定のデータを入力する第１の入力ステップと、
前記第１の入力ステップにより入力した前記所定のデータを前記出力装置に出力する第１の出力ステップと、
前記通信識別ステップによる識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択ステップとを備え、
前記選択ステップは、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とするデータ通信制御方法。
【請求項２５】
請求項２１〜２４のいずれかに記載のデータ通信制御方法を実現するプログラムを記憶したことを特徴とするコンピュータが読み取り可能な記憶媒体。
【請求項２６】
請求項２１〜２４のいずれかに記載のデータ通信制御方法を実現することを特徴とするプログラム。
【請求項２７】
１つのキーの押下に応じて、画像入力装置及び画像出力装置の接続を確認する確認手段と、
前記確認手段により画像入力装置が接続されていることが確認された場合、接続されている画像入力装置から画像データを受信する手段と、
前記確認手段により画像出力装置が接続されていることが確認された場合、接続されている画像出力装置に画像データを送信する手段とを有することを特徴とする端末装置。
【請求項２８】
１つのキーの押下に応じて、画像入力装置及び画像出力装置の接続を確認する確認ステップと、
前記確認ステップにより画像入力装置が接続されていることが確認された場合、接続されている画像入力装置から画像データを受信するステップと、
前記確認ステップにより画像出力装置が接続されていることが確認された場合、接続されている画像出力装置に画像データを送信するステップと、
を有することを特徴とするデータ通信方法。
【請求項２９】
請求項２８に記載のデータ通信方法を実現するプログラムを記憶したことを特徴とするコンピュータが読み取り可能な記憶媒体。
【請求項３０】
請求項２８に記載のデータ通信方法を実現することを特徴とするプログラム。
【手続補正２】
【補正対象書類名】明細書
【補正対象項目名】００１２
【補正方法】変更
【補正の内容】
【００１２】
【課題を解決するための手段】
本発明に係る第１の発明は、通信機能処理に必要な複数の操作キーを備え、通信網に接続してデータ通信を行うための第１の通信機能と、所定の入力装置と所定の出力装置とデータ通信を行うための第２の通信機能とを備える端末装置であって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段（図１に示すコントローラ部１ａに相当）とを備え、前記選択手段は、前記入力装置と通信可能な場合は第１の入力手段による第１の入力処理を選択し、前記出力装置と通信可能な場合は第１の出力手段による第１の出力処理を選択し、前記入力装置と通信不可能で、かつ前記出力装置と通信不可能な場合、前記第１の接続処理を選択することを特徴とする。
【手続補正３】
【補正対象書類名】明細書
【補正対象項目名】００１４
【補正方法】変更
【補正の内容】
【００１４】
本発明に係る第３の発明は、通信網に接続してデータ通信を行うための第１の通信機能と、所定の入力装置と複数の操作キーを備える所定の出力装置とデータ通信を行うための第２の通信機能とを備える端末装置であって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段（図１に示すコントローラ部１ａに相当）とを備え、前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【手続補正４】
【補正対象書類名】明細書
【補正対象項目名】００１５
【補正方法】変更
【補正の内容】
【００１５】
本発明に係る第４の発明は、通信網に接続してデータ通信を行うための第１の通信機能と、所定の入力装置と複数の操作キーを備える所定の出力装置とデータ通信を行うための第２の通信機能とを備える端末装置であって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段（図１に示すコントローラ部１ａに相当）とを備え、前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする。
【手続補正５】
【補正対象書類名】明細書
【補正対象項目名】００２２
【補正方法】変更
【補正の内容】
【００２２】
本発明に係る第１１の発明は、所定の入力装置と、所定の出力装置と、通信機能処理に必要な複数の操作キーを備え、通信網に接続してデータ通信を行うための第１の通信機能と前記所定の入力装置と前記所定の出力装置とデータ通信を行うための第２の通信機能とを備える端末装置とからなるデータ通信システムであって、前記複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記第１の入力手段による第１の入力処理、前記第１の出力手段による第１の出力処理、前記通信網に接続してデータ通信を行う第１の接続処理のいずれかを選択する選択手段（図１に示すコントローラ部１ａに相当）とを備え、前記選択手段は、前記入力装置と通信可能な場合は前記第１の入力手段による第１の入力処理を選択し、前記出力装置と通信可能な場合は前記第１の出力手段による第１の出力処理を選択し、前記入力装置と通信不可能で、かつ前記出力装置と通信不可能な場合、前記第１の接続処理を選択することを特徴とする。
【手続補正６】
【補正対象書類名】明細書
【補正対象項目名】００２４
【補正方法】変更
【補正の内容】
【００２４】
本発明に係る第１３の発明は、通信網に接続してデータ通信を行うための第１の通信機能と、所定の入力装置と複数の操作キーを備える所定の出力装置とデータ通信を行うための第２の通信機能とを備える端末装置とからなるデータ通信システムであって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に対して出力する第１の入出力処理、前記通信網に接続して取得されるネット情報を前記出力装置に対して出力する第１の接続出力処理のいずれかを選択する選択手段（図１に示すコントローラ部１ａに相当）とを備え、前記選択手段は、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【手続補正７】
【補正対象書類名】明細書
【補正対象項目名】００２５
【補正方法】変更
【補正の内容】
【００２５】
本発明に係る第１４の発明は、通信網に接続してデータ通信を行うための第１の通信機能と、所定の入力装置と複数の操作キーを備える所定の出力装置とデータ通信を行うための第２の通信機能とを備える端末装置とからなるデータ通信システムであって、前記出力装置の複数の操作キー中の１つの操作キーが操作された際、前記第２の通信機能を利用して入力装置と出力装置と通信が可能かどうかを識別する通信識別手段（図１に示すコントローラ部１ａに相当）と、前記入力装置から送信される所定のデータを入力する第１の入力手段（図１に示すコントローラ部１ａに相当）と、前記第１の入力手段により入力した前記所定のデータを前記出力装置に出力する第１の出力手段（図１に示すコントローラ部１ａに相当）と、前記通信識別手段による識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択手段（図１に示すコントローラ部１ａに相当）とを備え、前記選択手段は、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は前記第２の出力処理を選択することを特徴とする。
【手続補正８】
【補正対象書類名】明細書
【補正対象項目名】００３２
【補正方法】変更
【補正の内容】
【００３２】
本発明に係る第２１の発明は、通信機能処理に必要な複数の操作キーを備え、通信網に接続してデータ通信を行うための第１の通信機能と、所定の入力装置と所定の出力装置とデータ通信を行うための第２の通信機能とを備える端末装置におけるデータ通信制御方法であって、前記複数の操作キー中の１つの操作キーが操作された際、前記第２の通信機能を利用して入力装置と出力装置と通信が可能かどうかを識別する通信識別ステップ（図１０に示すステップＳ１００２，Ｓ１００７）と、前記入力装置から送信される所定のデータを入力する第１の入力ステップ（図１０に示すステップＳ１００５）と、前記第１の入力ステップにより入力した前記所定のデータを前記出力装置に出力する第１の出力ステップ（図１０に示すステップＳ１０１１）と、前記通信識別ステップによる識別結果に従い、前記第１の入力ステップによる第１の入力処理、前記第１の出力ステップによる第１の出力処理、前記通信網に接続してデータ通信を行う第１の接続ステップのいずれかを選択する選択ステップ（図１０に示すステップＳ１００３，Ｓ１００８，Ｓ１０１３）とを備え、前記選択ステップは、前記入力装置と通信可能な場合は前記第１の入力ステップによる第１の入力処理を選択し、前記出力装置と通信可能な場合は前記第１の出力ステップによる第１の出力処理を選択し、前記入力装置と通信不可能で、かつ前記出力装置と通信不可能な場合、前記第１の接続処理を選択することを特徴とする。
【手続補正９】
【補正対象書類名】明細書
【補正対象項目名】００３４
【補正方法】変更
【補正の内容】
【００３４】
本発明に係る第２３の発明は、通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、前記出力装置の複数の操作キー中の１つの操作キーが操作された際、前記第２の通信機能を利用して入力装置と出力装置と通信が可能かどうかを識別する通信識別ステップ（図１２に示すステップＳ１２０３）と、前記入力装置から送信される所定のデータを入力する第１の入力ステップ（図１２のステップＳ１２０６）と、前記第１の入力ステップにより入力した前記所定のデータを前記出力装置に出力する第１の出力ステップ（図１２のステップＳ１２０７）と、前記通信識別ステップによる識別結果に従い、前記所定のデータを前記出力装置に対して出力する第１の入出力処理、前記通信網に接続して取得されるネット情報を前記出力装置に対して出力する第１の接続出力処理のいずれかを選択する選択ステップ（図１２のステップＳ１２０４，Ｓ１２０８）とを備え、前記選択ステップは、前記入力装置が前記出力装置と通信可能な場合は前記第１の入出力処理を選択し、前記入力装置と通信不可能で、かつ前記出力装置と通信可能な場合、前記第１の接続出力処理を選択することを特徴とする。
【手続補正１０】
【補正対象書類名】明細書
【補正対象項目名】００３５
【補正方法】変更
【補正の内容】
【００３５】
本発明に係る第２４の発明は、通信網に接続してデータ通信を行うための第１の通信機能と、所定の入力装置と複数の操作キーを備える所定の出力装置とデータ通信を行うための第２の通信機能とを備える端末装置におけるデータ通信制御方法であって、前記出力装置の複数の操作キー中の１つの操作キーが操作された際、前記第２の通信機能を利用して入力装置と出力装置と通信が可能かどうかを識別する通信識別ステップ（図１２に示すステップＳ１２０３）と、前記入力装置から送信される所定のデータを入力する第１の入力ステップ（図１２のステップＳ１２０６）と、前記第１の入力ステップにより入力した前記所定のデータを前記出力装置に出力する第１の出力ステップ（図１２のステップＳ１２０７）と、前記通信識別ステップによる識別結果に従い、前記所定のデータを前記出力装置に出力する第２の入出力処理、前記通信網に接続して取得されるネット情報を前記表示装置に表示し、前記出力装置に対して出力する第２の接続出力処理と、前記表示装置に表示されている情報を前記出力装置に対して出力する第２の出力処理のいずれかを選択する選択ステップ（図１２のステップＳ１２０４，Ｓ１２０８、Ｓ１２１０）とを備え、前記選択ステップは、前記入力装置が前記出力装置と通信可能な場合は前記第２の入出力処理を選択し、前記入力装置と通信不可能で、かつ前記出力装置と通信可能で前記表示装置に入力情報が表示されていない場合は前記第２の接続出力処理を選択し、前記入力装置と通信不可能で、かつ前記出力装置と通信可能で前記表示装置に入力情報が表示されている場合は第２の出力処理を選択することを特徴とする。